(57)【要約】  【課題】  購入から利用、再生に至る各段階において、コストや作業工数等のあらゆる面で利用者への負担が少ない新規な集積状古紙類の荷崩れ防止技術を提供する。  【解決手段】  紐６への引っ掛け可能な鉤型形状を有し、当該紐６に引っ掛けて鉛直状姿勢のまま摘んで水平面内回転操作可能な大きさに形成してなる緊張用鉤部２と、該緊張用鉤部２の両開放端２２，２３の中で、水平面内回転操作方向側となる開放端２２と所定長さ部分を共通するか、または実質的に共通状とするかした部分を一方の開放端３３として連続形成された鉤型形状を有し、しかもその開放部分３１が前記緊張用鉤部２のそれとは反対方向に向き、且つ当該緊張用鉤部２が属する面よりも下方位となる面内に属するよう規制して形成してなる掛止用鉤部３とからなるものとした古紙類荷造り用緊締具１である。【選択図】    図７
2006306416.tif 000002
【特許請求の範囲】
【請求項１】
古紙類集積状荷造り用の紐に引っ掛け可能な鉤型形状を有し、横設状となっている当該紐に引っ掛けて鉛直状姿勢のまま摘んで水平面内回転操作可能な大きさに形成してなる緊張用鉤部と、該緊張用鉤部の両開放端の中、水平面内回転操作方向側となる開放端と所定長さ部分を共通するか、または実質的に共通状とするかした部分を一方の開放端として連続形成された鉤型形状を有し、しかもその開放部分が前記緊張用鉤部のそれとは反対方向に向き、且つ当該緊張用鉤部が属する面よりも下方位となる面内に属するよう規制して形成してなる掛止用鉤部とからなるものとしたことを特徴とする古紙類荷造り用緊締具。
【請求項２】
古紙類集積状荷造り用の紐に引っ掛け可能な鉤型形状を有し、横設状となっている当該紐に引っ掛けて鉛直状姿勢のまま摘んで水平面内回転操作可能な大きさに形成してなる緊張用鉤部と、該緊張用鉤部の両開放端の中、水平面内回転操作方向側となる開放端と所定長さ部分を共通するか、または実質的に共通状とするかした部分を一方の開放端として連続形成された鉤型形状を有し、しかもその開放部分が前記緊張用鉤部のそれとは反対方向に向き、且つ当該緊張用鉤部が属する面よりも下方位となる面内に属するよう規制して形成したものとし、多数枚集積状とした古紙類を整理するため、最下面と最上面との略中央付近で十字状に交叉、結束してなる古紙類集積状荷造り用の紐の、上面側の十字交叉箇所に緊張用鉤部を引っ掛けて鉛直状姿勢のまま摘んで水平面内回転操作し、当該紐の緊張を高めて古紙類を強固な集積状とした上、掛止用鉤部を同紐中途適所に引っ掛けて緩み方向の逆回転を阻止するようにしてなるものとしたことを特徴とする古紙類荷造り用緊締具。
【請求項３】
古紙類集積状荷造り用の紐に引っ掛け可能な鉤型形状を有し、横設状となっている当該紐に引っ掛けて鉛直状姿勢のまま摘んで水平面内回転操作可能な大きさに形成してなる緊張用鉤部と、該緊張用鉤部の両開放端の中、水平面内回転操作方向側となる開放端と所定長さ部分を共通するか、または実質的に共通状とするかした部分を一方の開放端として連続形成された鉤型形状を有し、しかもその開放部分が前記緊張用鉤部のそれとは反対方向に向き、且つ当該緊張用鉤部が属する面に対し下向き直角状姿勢に規制するよう形成してなる掛止用鉤部とからなるものとしたことを特徴とする古紙類荷造り用緊締具。
【請求項４】
古紙類集積状荷造り用の紐に引っ掛け可能な湾曲鉤型形状を有し、横設状となっている当該紐に引っ掛けて鉛直状姿勢のまま摘んで水平面内回転操作可能な大きさに形成してなる緊張用鉤部と、該緊張用鉤部の両開放端の中、水平面内回転操作方向側となる開放端と所定長さ部分を共通するか、または実質的に共通状とするかした部分を一方の開放端として連続形成された湾曲鉤型形状を有し、しかもその開放部分が前記緊張用鉤部のそれとは反対方向に向き、且つ当該緊張用鉤部が属する面よりも下方位となる面内に属するよう規制して形成してなる掛止用鉤部とからなるものとしたことを特徴とする古紙類荷造り用緊締具。
【請求項５】
古紙類集積状荷造り用の紐に引っ掛け可能な鉤型形状を有する緊張用鉤部と、該緊張用鉤部の両開放端の中、水平面内回転操作方向側となる開放端と所定長さ部分を共通するか、または実質的に共通状とするかした部分を一方の開放端として連続形成された鉤型形状を有し、しかもその開放部分が前記緊張用鉤部のそれとは反対方向に向き、且つ当該緊張用鉤部が属する面よりも下方位となる面内に属するよう規制して形成してなる掛止用鉤部とからなり、横設状となっている当該紐に引っ掛けて鉛直状姿勢のままの該緊張用鉤部を、水平面内回転操作可能な大きさの摘み部を適所に形成してなるものとしたことを特徴とする古紙類荷造り用緊締具。
【請求項６】
古紙類集積状荷造り用の紐に引っ掛け可能な鉤型形状を有し、横設状となっている当該紐に引っ掛けて鉛直状姿勢のまま摘んで水平面内回転操作可能な大きさに形成してなる緊張用鉤部と、該緊張用鉤部の両開放端の中、水平面内回転操作方向側となる開放端と所定長さ部分を共通するか、または実質的に共通状とするかした部分を一方の開放端として連続形成された鉤型形状を有し、しかもその開放部分が前記緊張用鉤部のそれとは反対方向に向き、且つ当該緊張用鉤部が属する面よりも下方位となる面内に属するよう規制して形成してなる掛止用鉤部とからなる古紙類荷造り用緊締具を用い、多数枚集積状とした古紙類を整理するため、最下面と最上面との略中央付近で十字状に交叉、結束してなる古紙類集積状荷造り用の紐の、上面側の十字交叉箇所に緊張用鉤部を引っ掛けて鉛直状姿勢のまま摘んで水平面内回転操作し、当該紐の緊張を高めて古紙類を強固な集積状とした上、掛止用鉤部を同紐中途適所に引っ掛けて緩み方向の逆回転を阻止するようにした、前記請求項１ないし５何れか一項に記載の古紙類荷造り用緊締具を用いた集積状古紙類の荷崩れ防止方法。
【請求項７】
古紙類集積状荷造り用の紐に引っ掛け可能な鉤型形状を有する緊張用鉤部と、該緊張用鉤部の両開放端の中、水平面内回転操作方向側となる開放端と所定長さ部分を共通するか、または実質的に共通状とするかした部分を一方の開放端として連続形成された鉤型形状を有し、しかもその開放部分が前記緊張用鉤部のそれとは反対方向に向き、且つ当該緊張用鉤部が属する面よりも下方位となる面内に属するよう規制して形成してなる掛止用鉤部とからなる古紙類荷造り用緊締具を用い、多数枚集積状とした古紙類を整理するため、最下面と最上面との略中央付近で十字状に交叉、結束してなる古紙類集積状荷造り用の紐の、上面側の十字交叉箇所に緊張用鉤部を引っ掛けて鉛直状姿勢のまま、同緊張用鉤部自体、または適所に一体形成した摘み部を摘んで水平面内回転操作し、当該紐の緊張を高めて古紙類を強固な集積状とした上、掛止用鉤部を同紐中途適所に引っ掛けて緩み方向の逆回転を阻止するようにした、前記請求項１ないし５何れか一項に記載の古紙類荷造り用緊締具を用いた集積状古紙類の荷崩れ防止方法。
【発明の詳細な説明】
【技術分野】
【０００１】
この発明は、集積した古紙類の荷造り用に関連するあらゆる分野をその技術分野とするものであって、荷造り用紐用の緊締金具類を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。                                                                                                      
【背景技術】
【０００２】
（視  点）
家庭から発生する新聞紙や広告、雑誌、段ボール、牛乳・ジュースのパック等の古紙類の多くは、ちり紙交換や、町内会、子ども会もしくは地方自治体等による資源ゴミの回収作業により、リサイクル可能な資源として一旦古紙問屋に集められ、さらに選別を行った後に製紙工場に出荷されて再生紙に加工されることとなるが、一般に、回収された古紙類は、トイレットペーパー用、新聞紙や雑誌等といった出版物類用、段ボール用などといった目的、用途別に再生利用されることになるため、その目的、用途に適った効率的な再生利用を図る上では、各家庭や職場などにおける古紙類について、できるだけ正確な分別がなされて回収されるようにするのが望ましい。
【０００３】
これまでのところでも、この古紙類は、各家庭などにおいて予め種類毎に分別して集積状に保管するようにし、それらが所定量になると、搬出等の点で取り扱い易いボリューム毎に一まとめに積層状とした上、ビニール紐の荷造り用の紐（望ましくは紙紐）により、それら集積状とした一塊の古紙類の最下面および最上面の夫々の中央付近で交叉するよう巻き掛けして縛っておき、その状態のままで回収に回すというのが一般的であり、各地方自治体や回収業者等からも、集積状古紙類を紐で確り束ねてゴミ出しするよう広く一般に指導、徹底されている。ところが、積層状にして一塊とした古紙類は、比較的小さ目のボリュームにしてもその重量はかなりのものとなり、荷造り用の紐によって極一般的な束ね方をした一塊状の集積状古紙類として示してある図８斜視図中のように、上下面で各々交叉状に巻き掛けして縛ってある紐を把持して運搬していると、相当確りと縛ったつもりのものであっても次第に緩み始め、酷い場合はトラックのところに到達するまでの間には、あるいは良くてもトラックへの積み降ろしの最中には、どちらか一方に片寄ってしまって荷崩れを生じ、紐が外れて古紙類を辺り一面に散乱させてしまう等、回収作業の効率を悪化させる原因の一つとなっていた。
【０００４】
（従来の技術）
こうした弊害を解消しようと、既に様々な古紙類の荷造り用回収技術が開発済みとなっており、その中の、例えば特開２０００−６２７３７号公報の「紙類整理梱包部材」発明のように、積層状態で収納される古紙類の位置規制を可能とするガイドボックスと、帯状に形成され、長手方向中間部をガイドボックス底面上に配置し、収納された積層古紙類の周囲を巻回するように折り曲げ、両端部分を積層古紙類の上面に重ね合わせて固着可能としたペーパーラップとからなり、積層載置される古紙類の整理保管の見場を良くし、リサイクル等の目的に応じた仕分け作業や梱包を簡単にするものや、特開平１１−２６３３３２号公報に開示された「新聞整理箱」発明のような、再生段ボール紙製として回収資源の有効利用に貢献すると共に、対向する端壁を互いに内側に折り畳み、使用前後のコンパクト化を可能とし、各端壁と側壁との上端側を重合片との二重構造とし、強度を高めて破損し難くしたもの等々によって代表されるとおりである。
【０００５】
しかし、これら従前までの古紙類の荷造り用回収技術を代表する上記「紙類整理梱包部材」や「新聞整理箱」等は、古紙回収に利用することによって荷崩れ防止や運搬作業性の向上といった効果は確かに得られる反面、使用後に大量の段ボール紙や厚紙類の資源ゴミが新たに発生し、その分別および再生利用の工数が必要となってしまい、総合的な観点から見て自然環境への負荷を増大させてしまうということが懸念される上、このようにかなり確りした梱包部材や整理箱を新聞紙や雑誌等の古紙類に頻繁に使用すること自体、一般家庭のゴミ処理における経済的負担ばかりか、梱包部材や整理箱の組み立て手間、およびそれらへの古紙類の分別、投入、束ね作業等といったよけいな工数を増大させてしまうことにも繋がり、それが原因で広く普及させることが難しくなるという課題を残すものとなっていた。                                                                      
【特許文献１】（１）特開２０００-６２７３７号公報  （２）特開平１１-２６３３３２号公報
【発明の開示】
【発明が解決しようとする課題】
【０００６】
（問題意識）
この発明は、以上指摘したとおり、従前までに開発された古紙回収用の梱包部材や整理箱等による手段では、積層させた古紙類を分類、整理して保管したり、リサイクル処理する際の荷崩れを防止して輸送効率を高められるという利点を有する反面、一般家庭やオフィス等における古紙類のリサイクルコストを逆に高騰させ、さらに梱包部材や整理箱等それ自体の購入や準備、保管および組み立て等の作業負担が増大してしまう外、リサイクル工場では、それら使用済みの梱包部材や整理箱等も新たなゴミ資源として適正に処理する必要がある等、作業工数の増大や再生コストの高騰に繋がるといった避けて通ることが難しい多くの欠点を抱えるものとなっているため、多くの人々からはそれら従前までのように負担が掛かることなく、できるだけ利用効果の高い新たな集積状古紙類の荷崩れ防止技術の開発が待望視されている。
【０００７】
（発明の目的）
そこで、この発明は、購入から利用、再生に至る各段階において、コストや作業工数の面で負担が大きい従来型の梱包部材や整理箱のように比較的大型ものでは無く、あらゆる面で利用者への負担が少ない、集積状古紙類の荷崩れ防止技術を提供することはできないものかとの判断から、逸速くその開発、研究に着手し、長期に渡る試行錯誤と幾多の試作、実験とを繰り返してきた結果、今回、遂に新規な構造の古紙類荷造り用緊締具、およびそれを用いた新規な集積状古紙類の荷崩れ防止方法を実現化することに成功したものであり、以下では、図面に示すこの発明を代表する実施例と共に、その構成を詳述することとする。                                      
【課題を解決するための手段】
【０００８】
（発明の構成）
図面に示すこの発明を代表する実施例からも明確に理解されるように、この発明に包含される古紙類荷造り用緊締具は、基本的に次のような構成から成り立っている。
即ち、古紙類集積状荷造り用の紐に引っ掛け可能な鉤型形状を有し、横設状となっている当該紐に引っ掛けて鉛直状姿勢のまま摘んで水平面内回転操作可能な大きさに形成してなる緊張用鉤部と、該緊張用鉤部の両開放端の中、水平面内回転操作方向側となる開放端と所定長さ部分を共通するか、または実質的に共通状とするかした部分を一方の開放端として連続形成された鉤型形状を有し、しかもその開放部分が前記緊張用鉤部のそれとは反対方向に向き、且つ当該緊張用鉤部が属する面よりも下方位となる面内に属するよう規制して形成してなる掛止用鉤部とからなるものとした構成を要旨とする古紙類荷造り用緊締具である。
【０００９】
これを換言すると、古紙類集積状荷造り用の紐に引っ掛け可能な鉤型形状を有し、横設状となっている当該紐に引っ掛けて鉛直状姿勢のまま摘んで水平面内回転操作可能な大きさに形成してなる緊張用鉤部と、該緊張用鉤部の両開放端の中、水平面内回転操作方向側となる開放端と所定長さ部分を共通するか、または実質的に共通状とするかした部分を一方の開放端として連続形成された鉤型形状を有し、しかもその開放部分が前記緊張用鉤部のそれとは反対方向に向き、且つ当該緊張用鉤部が属する面よりも下方位となる面内に属するよう規制して形成したものとし、多数枚集積状とした古紙類を整理するため、最下面と最上面との略中央付近で十字状に交叉、結束してなる古紙類集積状荷造り用の紐の、上面側の十字交叉箇所に緊張用鉤部を引っ掛けて鉛直状姿勢のまま摘んで水平面内回転操作し、当該紐の緊張を高めて古紙類を強固な集積状とした上、掛止用鉤部を同紐中途適所に引っ掛けて緩み方向の逆回転を阻止するようにしてなるものとした古紙類荷造り用緊締具ということができる。
【００１０】
そして、より具体的な構成のものとして示すと、古紙類集積状荷造り用の紐に引っ掛け可能な鉤型形状を有し、横設状となっている当該紐に引っ掛けて鉛直状姿勢のまま摘んで水平面内回転操作可能な大きさに形成してなる緊張用鉤部と、該緊張用鉤部の両開放端の中、水平面内回転操作方向側となる開放端と所定長さ部分を共通するか、または実質的に共通状とするかした部分を一方の開放端として連続形成された鉤型形状を有し、しかもその開放部分が前記緊張用鉤部のそれとは反対方向に向き、且つ当該緊張用鉤部が属する面に対し下向き直角状姿勢に規制するよう形成してなる掛止用鉤部とからなる古紙類荷造り用緊締具とすることが可能である。
【００１１】
同様に、古紙類集積状荷造り用の紐に引っ掛け可能な湾曲鉤型形状を有し、横設状となっている当該紐に引っ掛けて鉛直状姿勢のまま摘んで水平面内回転操作可能な大きさに形成してなる緊張用鉤部と、該緊張用鉤部の両開放端の中、水平面内回転操作方向側となる開放端と所定長さ部分を共通するか、または実質的に共通状とするかした部分を一方の開放端として連続形成された湾曲鉤型形状を有し、しかもその開放部分が前記緊張用鉤部のそれとは反対方向に向き、且つ当該緊張用鉤部が属する面よりも下方位となる面内に属するよう規制して形成してなる掛止用鉤部とからなるものとした古紙類荷造り用緊締具といえる。
【００１２】
さらに具体的には、古紙類集積状荷造り用の紐に引っ掛け可能な鉤型形状を有する緊張用鉤部と、該緊張用鉤部の両開放端の中、水平面内回転操作方向側となる開放端と所定長さ部分を共通するか、または実質的に共通状とするかした部分を一方の開放端として連続形成された鉤型形状を有し、しかもその開放部分が前記緊張用鉤部のそれとは反対方向に向き、且つ当該緊張用鉤部が属する面よりも下方位となる面内に属するよう規制して形成してなる掛止用鉤部とからなり、横設状となっている当該紐に引っ掛けて鉛直状姿勢のままの該緊張用鉤部を、水平面内回転操作可能な大きさの摘み部を適所に形成してなるものとした構成からなる古紙類荷造り用緊締具となる。
【００１３】
（関連する発明）
上記した、古紙類荷造り用緊締具に関連し、この発明には、それを使用した集積状古紙類の荷崩れ防止方法も包含される。
即ち、古紙類集積状荷造り用の紐に引っ掛け可能な鉤型形状を有し、横設状となっている当該紐に引っ掛けて鉛直状姿勢のまま摘んで水平面内回転操作可能な大きさに形成してなる緊張用鉤部と、該緊張用鉤部の両開放端の中、水平面内回転操作方向側となる開放端と所定長さ部分を共通するか、または実質的に共通状とするかした部分を一方の開放端として連続形成された鉤型形状を有し、しかもその開放部分が前記緊張用鉤部のそれとは反対方向に向き、且つ当該緊張用鉤部が属する面よりも下方位となる面内に属するよう規制して形成してなる掛止用鉤部とからなる古紙類荷造り用緊締具を用い、多数枚集積状とした古紙類を整理するため、最下面と最上面との略中央付近で十字状に交叉、結束してなる古紙類集積状荷造り用の紐の、上面側の十字交叉箇所に緊張用鉤部を引っ掛けて鉛直状姿勢のまま摘んで水平面内回転操作し、当該紐の緊張を高めて古紙類を強固な集積状とした上、掛止用鉤部を同紐中途適所に引っ掛けて緩み方向の逆回転を阻止するようにした、前記何れかに記載の古紙類荷造り用緊締具を用いた集積状古紙類の荷崩れ防止方法である。
【００１４】
そして、より具体的には、古紙類集積状荷造り用の紐に引っ掛け可能な鉤型形状を有する緊張用鉤部と、該緊張用鉤部の両開放端の中、水平面内回転操作方向側となる開放端と所定長さ部分を共通するか、または実質的に共通状とするかした部分を一方の開放端として連続形成された鉤型形状を有し、しかもその開放部分が前記緊張用鉤部のそれとは反対方向に向き、且つ当該緊張用鉤部が属する面よりも下方位となる面内に属するよう規制して形成してなる掛止用鉤部とからなる古紙類荷造り用緊締具を用い、多数枚集積状とした古紙類を整理するため、最下面と最上面との略中央付近で十字状に交叉、結束してなる古紙類集積状荷造り用の紐の、上面側の十字交叉箇所に緊張用鉤部を引っ掛けて鉛直状姿勢のまま、同緊張用鉤部自体、または適所に一体形成した摘み部を摘んで水平面内回転操作し、当該紐の緊張を高めて古紙類を強固な集積状とした上、掛止用鉤部を同紐中途適所に引っ掛けて緩み方向の逆回転を阻止するようにした、前記何れかに記載の古紙類荷造り用緊締具を用いた集積状古紙類の荷崩れ防止方法となる。                                                      
【発明の効果】
【００１５】
以上のとおり、この発明の古紙類荷造り用緊締具によれば、従来型の梱包部材や整理箱等に比較して極めて小型、軽量で取り扱い易いものとした上、極めて安価なものとして提供できるものとなることから、緊締具それ自体の製造、保管、輸送および使用後の再生処理等を含むあらゆる面でのコストと自然環境への負担とを大幅に削減することが可能となり、しかも一般家庭やオフィス等における古紙類の資源ゴミ回収に費やされる経済的負担を格段に軽減することができる上、整理のために多数枚集積状とした古紙類の最下面と最上面との各々略中央付近で十字状に交叉するよう巻回、結束するようにした古紙類集積状荷造り用の紐の、上面側の十字交叉箇所に緊張用鉤部を引っ掛けて回転操作し、掛止用鉤部を同紐の中途適所に引っ掛けてしまうことにより、簡便な操作によって極めて強固な状態に荷造りして決して荷崩れを起こすことのない一塊の集積状古紙類とすることができるため、従前のような煩雑な箱詰め作業などは一切不要とし、資源ゴミ回収における作業負担を大幅に軽減できるという秀れた特徴が得られるものである。
【００１６】
また、上記この発明の基本となる古紙類荷造り用緊締具を使った集積状古紙類の荷崩れ防止方法によれば、非常に小型軽量なこの発明の古紙類荷造り用緊締具を使用するだけで、従前までのような比較的大型の梱包部材や整理箱等といった嵩張るだけでなく余分な経費までも必要とするものと違って極めて経済的な上に、古紙類荷造り用に備えておく場合にも他の小物類と一緒に抽斗等に収納、保管でき、使用に際しては極めて簡便に取り出し、多数枚を集積状とした古紙類の最下面および最上面の各々の略中央付近で十字状に交叉、結束する極一般的な巻掛けで縛るようした古紙類集積状荷造り用の紐の、上面側の十字交叉箇所に当該緊締具の緊張用鉤部を引っ掛けて鉛直状姿勢のまま摘んで水平面内回転操作させるという極めて簡単な操作にだけで、それら捲回した紐の緩みを非常に強固に絞り込み、従来の縛り付けの操作みでは到底不可能な程度にまで緊張させることができ、その状態は、掛止用鉤部を同紐中途適所に簡単に引っ掛けて緩み方向の逆回転を確実に阻止する状態に保持し得るようになることから、それら一塊に集積状に縛った古紙類は、仮令不用意に取り扱われ、手荒な運搬や車両への積み降ろし作業に際しても十分に耐えて荷崩れしない一塊状の荷姿のままに確実に止まるものとすることができ、古紙類の効率的且つ経済的な回収およびリサイクルの実現化に大いに役立つものになるという顕著な効果を奏することとなる。                                                
【発明を実施するための最良の形態】
【００１７】
上記したとおりの構成からなるこの発明の実施に際し、その最良もしくは望ましい形態について説明を加えることにする。
緊張用鉤部は、複数枚の古紙類を集積状に縛り上げた古紙類集積状荷造り用の紐に係合可能であって、しかも適正な取り外し操作によらない場合には容易に外れることがなく、掛着部分の紐を絞るように回転操作可能とする機能を果たすものであり、人手によって運搬できる程度に集積、整理される古紙類の重量を受けても容易に破損しない十分な強度を有するものとしなければならず、紐への係合や回転作業によっても紐が外れず、紐や古紙類に不要な傷を付けないようできるだけ平滑面が連続する鉤型形状のものに形成すべきであり、手指で摘まんで紐の捻り上げ作業が容易にできる程度の寸法、形状のものとするのが望ましい。
【００１８】
掛止用鉤部は、複数枚の古紙類を集積状に縛り上げた古紙類集積状荷造り用の紐に緊張用鉤部を係合させ、同紐を捻り上げるよう複数回に渡って回転操作した上で、紐の緊張によって発生する緊張用鉤部を逆回転させようとする力を規制し、紐の緩みを阻止できるようにする機能を果たすものであり、前記緊張用鉤部と同様に十分な強度を有するものとしなければならず、古紙類回収の運搬や積み降ろし作業等に伴う手荒い作業中にも不用意に紐から外れない鉤形状に設定し、できるだけ紐や古紙類に傷を付けない滑らかな表面形状のものとすべきであり、手指の入力によって紐に対して簡便に掛着および離脱させることができる形状、配置のものとする。
【００１９】
摘み部は、複数枚の古紙類を集積状に縛り上げた古紙類集積状荷造り用の紐に緊張用鉤部を係合させ、当該緊張用鉤部で該紐の係合部分を捻り上げるよう、回転操作する場合に手指によって容易に摘み持ち、操作入力できるようにする機能を果たすものであり、回転操作入力に耐える十分な強度を有するものとしなければならず、六角ボルトの頭部や外周に摩擦溝を刻設した円柱型、操作ノブ型あるいは左右対称形状の操作レバー型等、回転操作し易い形状とすることが可能であるが、集積状古紙類の積み重ね輸送や保管等を考慮するならば、回転操作の際の緊張用鉤部の仮想回転軸心から対称形状をなすよう延伸された舌片状をなし、小さな入力でも大きな回転モーメントが得られる形状のものとし、さらに掛止用鉤部を紐に係合させたときに緊張用鉤部と同様に古紙面に平行状の姿勢となるよう配慮したものに形成するものの、できるだけ平面的形状として保管、管理などにも都合の良い形状、構造のものとするのが望まれる。
【００２０】
古紙類荷造り用緊締具は、リサイクル処理もしくは焼却処理可能な素材から形成するのが望ましく、より具体的には、ポリカーボネート、ポリエチレン、ポリアミド、ポリプロピレン、ポリアセタール、ＡＢＳ,ＰＥＴ,ＰＰ、アクリル等、利用可能なあらゆる合成樹脂成型品や、カーボンファイバー、グラスファイバー等による強化樹脂、あるいは鉄鋼、ステンレス、アルミニウム等の金属製プレス成型品とする外、強度が得られるならば木質材や強化木材などあらゆる素材によるものとすること等が可能であり、それら選択した素材に応じ、この発明が包含する技術的事項の範囲内で形状、構造を最適なものに改変できることはいうまでもないことである。
【００２１】
集積状古紙類は、リサイクル処理もしくは廃棄処理するために取り纏められた古紙類であって、より具体的には新聞紙、広告、雑誌、ダンボール、牛乳・ジュースのパック等の再生利用可能な使用済みの紙類を保管、整理などの目的で適宜重ねて集積状にしたものを一応代表的なものとして対象にしているといえるものの、必ずしも上記例示したものに限定されている訳ではなく、集積状荷造り用の紐によって古紙類同様に束状に括られ、当該発明の古紙類荷造り用緊締具を使って強固に締め付けて集積状とすることができるものであるならば、例えば、古着類、ウェス、雑巾や軍手等の集積状になる繊維ゴミ類や、工場やオフィス間で利用される通い箱、あるいは伸縮機能を有する旅行鞄類等についても対象にすることが可能であり、それらの縛り紐の緊締にも、当該発明の古紙類荷造り用緊締具は、そのまま利用することができる。
【００２２】
集積状古紙類の荷崩れ防止方法は、多数枚集積状とした古紙類を整理するため、後述の実施例にも示してあるとおり、集積状古紙類の最下面と最上面との略中央付近で十字状に交叉、結束してなる古紙類集積状荷造り用の紐の、上面側の十字交叉箇所に緊張用鉤部を引っ掛けて鉛直状姿勢のまま摘んで水平面内回転操作し、当該紐の緊張を高めて古紙類を強固な集積状とした上、掛止用鉤部を同紐中途適所に引っ掛けて緩み方向の逆回転を阻止するようにするのが最も望ましいといえるが、多数枚集積状とした古紙類の最下面と、最上面との略中央付近で十字状に交叉、結束してなる古紙類集積状荷造り用の紐の、集積状古紙類の周側面や角付近等、上面側の十字交叉箇所以外の適所に緊張用鉤部を引っ掛けて紐を捻り上げるよう回転操作し、当該紐の緊張を高めて古紙類を強固な集積状とした上、掛止用鉤部を同紐中途適所に引っ掛けて緩み方向の逆回転を阻止するようにした場合にも、略同様の荷崩れ防止効果を得ることができるものである。
以下では、図面に示すこの発明を代表する実施例と共に、その構造について詳述することとする。                              
【実施例】
【００２３】
図１の古紙類荷造り用緊締具の斜視図、図２の古紙類荷造り用緊締具の下面図、図３の古紙類荷造り用緊締具の正面図、および図４の古紙類荷造り用緊締具の側面図に示される事例は、古紙類５集積状荷造り用の紐６に引っ掛け可能な鉤型形状を有し、横設状となっている当該紐６に引っ掛けて鉛直状姿勢のまま摘んで水平面内回転操作可能な大きさに形成してなる緊張用鉤部２と、該緊張用鉤部２の両開放端２２，２３の中、水平面内回転操作方向側となる開放端２２と所定長さ部分を共通するか、または実質的に共通状とするかした部分を一方の開放端３３として連続形成された鉤型形状を有し、しかもその開放部分３１が前記緊張用鉤部２のそれとは反対方向に向き、且つ当該緊張用鉤部２が属する面よりも下方位となる面内に属するよう規制して形成してなる掛止用鉤部３とからなるものとした古紙類荷造り用緊締具における代表的な一実施例を示すものである。
【００２４】
当該古紙類荷造り用緊締具１は、その全体がポリカーボネート樹脂成型品からなり、１０ないし６０ｍｍ、望ましくは２０ないし３５ｍｍ前後の外径寸法に設定し、一部に開放部分２１を有する円弧状に湾曲形成し、十分な強度を確保可能な肉厚寸法に設定した緊張用鉤部２を有し、両開放端２２，２３の中、回転操作側となる開放端２２側の所定範囲を、直線上に形成すると共に、その開放端２２は下側鉛直方向に折曲、延伸されると共に、古紙類集積状荷造り用の紐６に掛着可能な内径に設定された横転Ｕ字状に折曲され、緊張用鉤部２開放部分２１の開放方向とは反対方向に開放する開放部分３１を形成した掛止用鉤部３を一体形成したものとなっている。
【００２５】
また、古紙類荷造り用緊締具１は、図５の一部に変更を加えた古紙類荷造り用緊締具の斜視図中に示すように、緊張用鉤部２の回転操作側の開放端２２と、掛止用鉤部３の共通状となる開放端３３との間に、緊張用鉤部２を回転操作する際に想定される仮想回転軸から、該緊張用鉤部２の平面形状に平行状となるよう延伸された左右対象形状の一対の舌片からなる摘み部４を一体に成型したものとすることができる。
【００２６】
（実施例の作用）
以上のとおりの構成からなる実施例の古紙類荷造り用緊締具は、この発明に包含される集積状古紙類の新規な荷崩れ防止方法としての使用ができ、以下には、当該荷崩れ防止方法に従って集積状古紙類を整理する紐６に古紙類荷造り用緊締具１を使用、装着して得られる作用について示すこととする。
四つ折りにした新聞紙５の複数枚を積層、集積状とし、古紙類集積状荷造り用の紐６を、従前からの極一般的な括り方のように、それら集積状とした新聞紙の最下面および最上面各々の略中央付近で縦横十字状に交叉させるよう、巻掛けて結束してなる荷姿とした後、図１ないし図４中に示した古紙類荷造り用緊締具１緊張用鉤部２の掛着側の開放端２３を、紐６の最上面縦横交叉部分に斜め方向から差し込んで掛着させてから、同古紙類荷造り用緊締具１を掛止用鉤部３が上位となる鉛直状姿勢のまま、回転操作側の開放端２２側付近を摘み、図６の緊締作業を受ける古紙集積状荷造り用紐の斜視図中に矢印で示す方向に複数回に渡って回転操作して紐６全体を十分に緊張させた上、図７の紐の緊締に使用された古紙類荷造り用緊締具の斜視図中に示すように、掛止用鉤部３を下側配置とするよう古紙類荷造り用緊締具１を横転させながら、その開放部３１開放端３２を、十字状に交叉された紐６の対応する適所に掛着し、古紙類荷造り用緊締具１が、図６中の矢印方向とは逆向きに回転してしまい、折角緊張状とした紐６が緩んでしまうのを規制するようにしている。
【００２７】
このような一連の装着作業により、当該古紙類荷造り用緊締具１を装着した集積状の新聞紙５は、強固な塊状の荷姿に束ねられた状態を実現し、回収、運搬の際に紐６の適所を把持して持ち上げたとしても、紐６が不用意に緩んでしまう事態は確実に阻止され、家庭から搬出して製紙工場でリサイクル処理されるまでの輸送、保管等各段階においても一切の荷崩れを無くすことが可能となる上、手作業による取り扱いの際、紐６の古紙最上面交叉部分付近を古紙類荷造り用緊締具１諸共把持することにより、荷重を適度に分散させて紐６が手指に食い込むのを和らげる働きも期待できる。
【００２８】
図５中に示したように、摘み部４を一体形成した古紙類荷造り用緊締具１を使用すると、緊張用鉤部２を紐６に掛着させた後、鉛直姿勢状の該古紙類荷造り用緊締具１を回転操作するときに、摘み部４を摘んで回転、入力操作することが可能となり、作業者の手指に掛かる負担を軽減すると共に、紐６をより強く緊張させて古紙類をさらに強固に集積させられる。
【００２９】
（実施例の効果）
以上のような構成からなる実施例の古紙類荷造り用緊締具１、およびそれを用いた集積状古紙類の荷崩れ防止方法は、前記この発明の効果の項で記載してある特徴に加え、掛止用鉤部３を緊張用鉤部２に対して略直角状の姿勢となるよう形成することにより、掛止用鉤部３を紐６に掛着する作業を容易にして作業効率を高めることができると共に、緊張用鉤部２および掛止用鉤部３を湾曲鉤型の形状としてあり、屈曲形状に形成したものに比較して紐６への負担を軽減し、紐６の破断を防止することができるという利点がある。
また、緊張用鉤部２と掛止用鉤部３との間に摘み部４を一体形成してあることから、紐６緊締の際の回転操作を容易にして手指への負担を軽減し、緊締強度を高めることができる上、摘み部４を緊張用鉤部２に平行な平板舌片状に形成してあって可能な限り凹凸の発生がなくなるようにしてあることから、この発明によって一塊とした集積古紙類５同士を複数個に積み重ねた場合にも比較的に安定し、トラックへの積み込みや倉庫保管等において積み上げたときの荷崩れを防止するという効果が得られることになる。
【００３０】
さらに、製紙工場に搬入された後、古紙類をリサイクル処理する段階で該古紙類荷造り用緊締具１を集積状古紙類５から外すときには、逆転を阻止している掛止用鉤部３を紐６から外すという単純な操作だけで緊張用鉤部２によって捻られていた紐６の復元力が解放され、略自動的に図６中の矢印とは逆向きに回転して緩んでしまい、古紙類荷造り用緊締具１を簡便に紐６から取り外すことができ、さらに、十分な耐久強度を有すると共にリサイクル可能な合成樹脂素材製とし、使用済みの古紙類荷造り用緊締具１を、破損または汚損するまで紐６から取り外して何回でも繰り返し使用することができる上、再利用不可能なものは粉砕処理してリサイクル原料化することができ、小型であるということも手伝って自然環境への負担を少なく抑えて環境に優しいリサイクルを実現するという効果を発揮できる。
【００３１】
（結  び）
叙述の如く、この発明の古紙類荷造り用緊締具、およびそれを用いた集積状古紙類の荷崩れ防止方法は、その新規な構成によって所期の目的を遍く達成可能とするものであり、しかも製造も容易で、従前からの梱包部材や整理箱等に比較して古紙類の集積作業における労働負担を格段に減少させ、材料資源の使用量を大幅に削減して遥かに効率的、且つ経済的な古紙類のリサイクルを実現することができる上、使用後の再生処理に要する作業負担も軽減できるものになることから、これまで回収古紙類の荷崩れと、その防止に費やされる労力およびその経費の増大に辟易してきた古紙類回収に関連する業界や再生紙を製造する製紙工場等において高く評価されると共に、その高い実用価値によって古紙類の回収に携わる町内会や子供会および地方自治体等の様々な人々や団体等は言うに及ばず、それら古紙類の回収に協力する一般家庭やスーパー、デパート等の各種販売店、オフィスおよび各種工場等といった多方面に渡って広範に利用、普及していくものになると予想される。                                                                                                          
【図面の簡単な説明】
【００３２】
図面は、この発明の古紙類荷造り用緊締具、およびそれを用いた集積状古紙類の荷崩れ防止方法の技術的思想を具現化した代表的な幾つかの実施例を示すものである。
【図１】古紙類荷造り用緊締具を示す斜視図である。
【図２】古紙類荷造り用緊締具を示す下面図である。
【図３】古紙類荷造り用緊締具を示す正面図である。
【図４】古紙類荷造り用緊締具を示す側面図である。
【図５】摘み部を形成した古紙類荷造り用緊締具を示す斜視図である。
【図６】荷造り用緊締具を装着される紐を示す斜視図である。
【図７】荷造り用緊締具で緊締した紐の要部を示す斜視図である。
【図８】従来の集積状古紙類を束ねた紐を示す斜視図である。
【符号の説明】
【００３３】
１      古紙類荷造り用緊締具
２      緊張用鉤部
２１    同  開放部分
２２    同  回転操作側の開放端
２３    同  掛着側の開放端
３      掛止用鉤部
３１    同  開放部
３２    同  掛着側の開放端
３３    同  共通状側の開放端
４      摘み部
５      古紙類
６      古紙類集積状荷造り用の紐
【図１】
2006306416.tif 000003
【図２】
2006306416.tif 000004
【図３】
2006306416.tif 000005
【図４】
2006306416.tif 000006
【図５】
2006306416.tif 000007
【図６】
2006306416.tif 000008
【図７】
2006306416.tif 000009
【図８】
2006306416.tif 000010